(57)【特許請求の範囲】
【請求項１】
それぞれが光データ信号を運ぶ波長チャネルを複数含み波長分割多重光信号を伝送する波長分割多重システムにおける補助データのための装置であり、
前記波長チャネルのそれぞれに関するそれぞれの補助データを提供する補助データソースと、
各波長チャネルについて該チャネルに関する前記補助データでサブキャリア周波数信号を変調する変調器と、
各波長チャネルに関する補助データを運ぶ変調されたサブキャリア周波数信号でそれぞれの波長チャネルを振幅強度変調する強度変調器と、を備え、
前記変調されたサブキャリア周波数信号は前記波長チャネルを振幅強度変調して該波長チャネルに関しインバンドとなるよう、前記サブキャリア周波数信号の周波数は前記光データ信号のビットレートの１／２より小さく、
前記各波長チャネルに関する補助データが他の波長チャネルの補助データとは独立に検出されるよう、前記サブキャリア周波数信号は、前記波長チャネルごとに異なる周波数で構成されており、
光信号が多重化された振幅強度変調光信号の部分タッピングを行なうタップカップラと、
光信号のタップ部分を電気信号に変換する光電変換器と、
前記電気信号から個々の波長チャネルに関連する変調サブキャリア周波数信号を検出し、変調サブキャリア周波数信号から個々の波長チャネルに関する補助データを検出する検出器と、
を備えた、波長分割多重システムにおける補助データ伝送装置。
【請求項２】
前記補助データのビットレートは前記光データ信号のビットレートより少なくとも８桁低い、請求項１に記載の波長分割多重システムにおける補助データ伝送装置。
【請求項３】
前記補助データは、チャネルソース識別情報を含むことを特徴とする請求項１に記載の波長分割多重システムにおける補助データ伝送装置。
【請求項４】
前記変調器は、振幅変調器であることを特徴とする請求項４に記載の波長分割多重システムにおける補助データ伝送装置。
【請求項５】
それぞれが光データ信号を運ぶ複数の波長チャネルを含み、波長分割多重光信号を伝送する波長分割多重システムにおける補助データのためのエンコーダであって、
前記複数の波長チャネルのそれぞれに関する補助データを、それぞれの波長チャネルに提供する補助データソースと、
サブキャリア周波数信号をそれぞれの波長チャネルに関する補助データによって変調する、各波長チャネルのための変調器と、
変調された前記サブキャリア周波数信号によって、それぞれの波長チャネルを振幅強度変調する強度変調器と、を備え、
前記サブキャリア周波数信号の周波数は前記光データ信号のビットレートの１／２より小さく、
前記変調されたサブキャリア周波数信号は前記波長チャネルを振幅強度変調して該波長チャネルに関しインバンドとなり、
前記各波長チャネルに関する補助データが他の波長チャネルの補助データとは独立に検出されるよう、前記サブキャリア周波数信号は、前記波長チャネルごとに異なる周波数である、エンコーダ。
【請求項６】
前記補助データのビットレートは光データ信号のビットレートより少なくとも８桁低い、請求項５に記載のエンコーダ。
【請求項７】
前記補助データは、チャネルソース識別情報を含む請求項５に記載のエンコーダ。
【請求項８】
前記変調器は、振幅変調器である請求項７に記載のエンコーダ。
【請求項９】
各波長チャネルがそれぞれの光データ信号を運び、かつ各波長チャネルに関する補助データで変調されたそれぞれインバンドのサブキャリア周波数信号を含む、複数の波長チャネルを含む波長分割多重光信号から補助データを検出するためのデコーダであって、
前記サブキャリア周波数信号の周波数は前記光データ信号のビットレートの１／２より小さく、
前記各波長チャネルが前記補助データで変調された前記サブキャリア周波数信号によって振幅強度変調され、前記各波長チャネルに関する補助データが他の波長チャネルの補助データとは独立に検出されるよう、前記サブキャリア周波数信号は、前記各波長チャネルごとに異なる周波数であり、
変調光データ信号の部分タッピングを行なうタップカップラと、
タップ部分の電気信号への変換処理を実行する光電変換器と、
前記電気信号から変調サブキャリア周波数信号を検出し、個々に特有の波長チャネルに関連する該変調サブキャリア周波数信号から個々の波長チャネルに関連する補助データを検出する検出器と、
を有する波長分割多重システムにおけるデコーダ。
【請求項１０】
前記デコーダは、光データ信号のビットレートより少なくとも８桁低いビットレートにおいて供給される補助データを抽出する請求項９に記載の波長分割多重システムにおけるデコーダ。
【請求項１１】
前記補助データは、チャネルソース識別情報を含む請求項９に記載の波長分割多重システムにおけるデコーダ。
【請求項１２】
前記検出器は、振幅変調サブキャリア周波数信号から補助データを検出する構成である請求項９に記載の波長分割多重システムにおけるデコーダ。
【請求項１３】
波長分割多重システムにおいて補助データを通信するための装置であって、
波長分割多重光信号のそれぞれが光データ信号を運ぶ波長チャネルごとの補助データを提供するためのデータソースを含み、前記補助データはチャネルソース識別情報を含み、
前記光データ信号のそれぞれの波長チャネルに関連する補助データを波長チャネルに挿入する手段を含み、前記光データ信号のそれぞれの波長チャネルは、補助データによって変調されたサブキャリア信号によって振幅強度変調され、
前記サブキャリア周波数信号の周波数は前記光データ信号のビットレートの１／２より小さく、前記変調されたサブキャリア周波数信号は前記波長チャネルを振幅強度変調して該波長チャネルに関しインバンドとなり、
前記各波長チャネルに関する補助データが他の波長チャネルの補助データとは独立に検出されるよう、前記サブキャリア周波数信号は、前記波長チャネルごとに異なる周波数である、装置。
【請求項１４】
それぞれが光データ信号を運ぶ複数の波長チャネルを含み、波長分割多重光信号を運ぶ波長分割多重システムにおいて補助データを通信する装置であって、
第１のノードにおいて、
１組のサブキャリア周波数信号を提供する手段を備え、各サブキャリア周波数信号は波長チャネルのそれぞれ１つに関連する補助データで変調され、前記個々の波長チャネルに関する補助データが他の波長チャネルの補助データとは独立に検出されるよう、前記サブキャリア周波数信号は、前記個々の波長チャネルごとに異なる周波数であり、
それぞれのサブキャリア周波数信号で前記光データ信号の関連する波長チャネルを振幅強度変調して該サブキャリア周波数信号を挿入する変調器を備え、前記サブキャリア周波数信号の周波数は前記光データ信号のビットレートの１／２より小さく、変調されたサブキャリア周波数信号は該波長チャネルに関しインバンドとなり、
第２のノードにおいて、前記変調された光データ信号の部分をタッピングするタップと、前記光データ信号から前記サブキャリア周波数信号の組を検出し、前記変調された各個々の波長チャネルに関連するサブキャリア周波数信号から補助データを検出する、検出器と、
を備える装置。
【請求項１５】
それぞれが光データ信号を運ぶ複数の波長チャネルを含み、波長分割多重光信号を運ぶ波長分割多重システムにおいて補助データを通信する装置であって、
第１のノードにおいて、
個々の波長チャネルに関連する補助データのソースと、
個々の波長チャネルに関連する個々の補助データによって個々の波長チャネルに関連するサブキャリア周波数信号の一組を変調するエンコーダと、を備え、前記サブキャリア周波数信号の周波数は前記光データ信号のビットレートの１／２より小さく、前記個々の波長チャネルに関する補助データが他の波長チャネルの補助データとは独立に検出されるよう、前記サブキャリア周波数信号は、前記個々の波長チャネルごとに異なる周波数であり、
個々の変調されたサブキャリア周波数信号で前記関連する前記光データ信号の波長チャネルを振幅強度変調して該サブキャリア周波数信号を該波長チャネルに挿入する挿入手段を備え、前記変調されたサブキャリア周波数信号は前記波長チャネルに関しインバンドとなり、
第２のノードにおいて、
前記変調された光データ信号の部分をタッピングするタップカプラと、
前記光データ信号から変調されたサブキャリア周波数信号を復元し、前記変調されたサブキャリア周波数信号から、各個々の波長チャネルに関連する補助データを検出する検出器と、
を備える装置。
【発明の詳細な説明】
【０００１】
【発明の属する技術分野】
本発明は、波長分割多重（ＷＤＭ）光通信システムに関する。さらに詳細には、高密度波長分割多重（ＤＷＤＭ）光通信システム装置および方法に関する。
【０００２】
【従来の技術】
光通信システムにおけるネットワーク・エレメント（以下、ＮＥと呼ぶ）の接続性を判定する処理は、ＮＥの商品管理、故障分離、システム自動供給等の観点において重要な処理である。通常、１本のファイバに３３以上の情報多重チャネルを持つＤＷＤＭシステムでは、この判定処理のために、各ＮＥに光デマルチプレクサを構成して、チャネルを介して転送される情報へのアクセスを可能としている。このアクセス情報が、ＮＥの接続性を判定するために使用される。しかしながら、光デマルチプレクサは、かなり高価なものであり、ＮＥの接続性判定処理以外に必要のない光デマルチプレクサを各ＮＥの構成要素として付属させることは望ましくない。従って、これに代わってＮＥの接続性を判定可能とする構成が望まれる。
【０００３】
【発明が解決しようとする課題】
本発明の目的は、ＷＤＭ光通信システムにおける補助データ（アンシラリ・データ）を提供する改良された装置および方法を提供することを目的とする。
【課題を解決するための手段】
【０００４】
本発明は、ＷＤＭシステムにおけるオプティカルＮＥ（光ネットワーク・エレメント）とチャネル波長ソース間における補助データ（アンシラリ・データ）転送のための低ビットレート・データチャネルを提供する。低ビットレート・データチャネル、以下ではウェーブＩＤ（ＷａｖｅＩＤ）と呼ぶが、これは補助データによって変調されたサブキャリア周波数信号によって転送される。変調サブキャリア周波数信号は、光データ信号を変調するために使用される。各チャネルのウェーブＩＤは、他のウェーブＩＤと直交（Ｏｒｔｈｏｇｏｎａｌ）する関係にある。すなわち、各々が異なるチャュネル波長の複数の変調光データ信号を含む光信号において、各ウェーブＩＤは、他のウェーブＩＤから独立に検出可能である。
【０００５】
本発明の１つの実施形態においては、各ウェーブＩＤは、波長ソースを一意的に識別するユニークチャネル識別子としてのチャネルソース識別情報を含む補助データを転送する。さらに、ウェーブＩＤは、例えば、ソースのインターネットプロトコル（ＩＰ）アドレス、ソースの物理的位置識別子、動作（ｗｏｒｋｉｎｇ）あるいは保護（ｐｒｏｔｅｃｔｉｏｎ）チャネル識別子、ペイロード・フォーマット、ビットレート識別子等、将来的に必要とされる可能性のある様々な情報を補助データとして転送することができる。
【０００６】
ウェーブＩＤは、タップカップラ、光検出器、ウエーブＩＤ検出器等に備えられたＮＥによって検出可能である。入力される光信号をタップし、ウェーブＩＤの存在を検知することで、ＮＥは、ネットワークによって接続された波長ソースを判定することができる。これによりＮＥは、ネットワークに対する自身の接続性の確認あるいは検出が可能となる。この判定能力は、光接続性確認を安価に実行することが要請されるメトロポリタン・オプティカル・ネットワーク（ＭＯＮ）にとって特に有効である。
【０００７】
本発明の１つの利点は、チャネル波長ソースを識別するためにチャネル波長の光学的逆多重化処理（デマルチプレシング）を必要としないことである。従って、チャネルソースの識別処理のために光デマルチプレクサを付加する必要がなくなる。このことにより、ＤＷＤＭシステムにおいてＮＥの接続性を判定するために有効なチャネルソース識別構成を安価に提供することが可能となる。
【０００８】
本発明の１つの側面においては、サブキャリア周波数信号に補助データを変調する変調装置、光データ信号を変調サブキャリア周波数信号によって振幅強度変調を行なう強度変調装置、振幅強度変調光信号の部分タッピングを行なうタップカップラ、光信号のタップ部分を電気信号に変換する光電変換器、そして、電気信号から変調サブキャリア周波数信号を検出する検出器を有する構成を持ち、変調サブキャリア周波数信号から補助データ（アンシラリ・データ）を検出する波長分割多重システムにおける補助データに関する装置が提供される。
【０００９】
本発明のもう１つの側面においては、サブキャリア周波数信号を補助データによって変調する変調器、および光データ信号を変調サブキャリア周波数信号で振幅強度変調を行なう強度変調器とを有する、波長分割多重システムにおける補助データ用のエンコーダが提供される。
【００１０】
本発明のもう１つの側面においては、変調光データ信号の部分タッピングを行なうタップカップラ、タップ部分の電気信号への変換を実行する光電変換器、そして電気信号から変調サブキャリア周波数信号を検出し、変調サブキャリア周波数信号から補助データを検出する検出器とを有し、補助データによって変調された変調サブキャリア周波数信号によって振幅強度変調された光データ信号から補助データを検出する波長分割多重システムにおけるデコーダが提供される。
【００１１】
さらに、本発明のもう１つの側面においては、次のステップを含む波長分割多重システムにおけるチャネル・ソースの検出方法が提供される。すなわち、まず、システムの第１ノードにおける補助データによるサブキャリア周波数信号の変調処理、第１ノードにおける光データ信号の変調サブキャリア周波数信号による振幅強度変調処理、第１ノードにおける光ファイバ上への変調光データ信号の転送処理、システムの第２ノードにおける光ファイバからの変調光データ信号の部分タッピング処理、第２ノードにおけるタップ部分の電気信号への変換処理、第２ノードにおける電気信号からの変調サブキャリア周波数信号の検出処理、さらに、第２ノードにおける変調サブキャリア周波数信号からの補助データの検出処理である。
【００１２】
さらに、本発明のもう１つの側面においては、波長分割多重システムにおいて補助データを伝送する振幅強度変調光信号が提供される。これは、第１データシンボル列によって第１ビットレートで変調された一定波長のパルス変調光、光データ信号のビットレートの２分の１より低いサブキャリア周波数において処理されるパルス変調光の振幅強度変調とを有する。ここで、サブキャリア周波数は第２データシンボル列によって示される補助データによって変調される。また、第２データシンボル列は、第１ビットレートよりも少なくとも８桁低いビットレートを持つ。
【００１３】
さらに、本発明のもう１つの側面においては、チャネルソース識別情報を含む補助データを提供するデータソース、さらに、光データ信号中に補助データを含ませる手段とを有する波長分割多重システムにおける補助データ提供装置を提供する。ここで、光データ信号は、補助データによって変調された信号によって振幅強度変調が施される。
【００１４】
【発明の実施の形態】
図１は、本発明の実施例に係るＭＯＮ（メトロポリタン・光ネットワーク）１０のブロック図である。ＭＯＮ１０は、第１サイト光伝送装置２０、第２サイト光伝送装置４０、および第３サイト光伝送装置５０に、それぞれ光伝送装置を有する。第１サイト２０の装置は、２Ｒトランシーバ２２、光ファイバ１４を介してトランシーバ２２と接続された３：１マルチプレクサ２４、さらに、光ファイバ１６を介してマルチプレクサ２４に接続された１１：１マルチプレクサ２６を有する。トランシーバ２２はウェーブＩＤ挿入装置２８を備えている。
【００１５】
動作時において、光データ信号ｓ１は光ファイバ１２を介してトランシーバ２２に入力される。ウェーブＩＤ挿入装置２８は、信号ｓ１にウェーブＩＤを挿入する。また、変調光データ信号ｓ２は光ファイバ１４上に出力される。マルチプレクサ２４は、信号ｓ２に２つの他の信号（図示せず）を多重化する。これらはフォーマットが信号ｓ２に類似するが、異なるチャネル波長の信号である。この結果として得られる多重化信号ｓ３が光ファイバ１６に出力される。マルチプレクサ２６は、信号ｓ３に１０の他の多重用信号（図示せず）を多重化する。これらの信号はフォーマット上は多重化信号ｓ３と類似するが、チャネル波長の点で異なる。結果として光ファイバ１４上に多重化信号ｓ４が出力される。これらの結果、多重化信号ｓ４は３３の信号を含む。これらは各々異なるチャネル波長を持ち、各チャネルのウエーブＩＤによって個別にそれぞれのチャネルソースを識別可能である。
【００１６】
第３サイト５０は、光加算ドロップ・マルチプレクサ（ＯＡＤＭ）５２を有する。ＯＡＤＭ５２は、第１サイト２０のマルチプレクサ２６と光ファイバ１８を介して接続され、さらに第２サイト４０と光ファイバ３８を介して接続されている。ＯＡＤＭ５２は、信号ｓ４からチャネルの抽出処理、あるいはドロップ処理をすることができる。さらに、ＯＡＤＭ５２は、ドロップ処理したチャネルにチャネルを加えるか、あるいはチャネルのいずれかの伝送情報を単にコピーする処理を実行できる。このように、信号ｓ４はＯＡＤＭ５２を実効的に通過することが可能である。簡単のために、図１は信号ｓ４がＯＡＤＭ５２を通過する例を示している。
【００１７】
第２サイト４０は、第３サイト５０と光ファイバ３８を介して接続された１：１１デマルチプレクサ４２、デマルチプレクサ４２と光ファイバ３６を介して接続された１：３デマルチプレクサ４４、さらに光ファイバ３４を介してデマルチプレクサ４４と接続された２Ｒトランシーバ４６を有する。トランシーバ４６は、ウェーブＩＤ検出器４８ａを有する。デマルチプレクサ４２，４４も、またそれぞれウェーブＩＤ検出器４８ｂ、４８ｃを有する。
【００１８】
動作時において、多重化信号ｓ４は光ファイバ３８を介してデマルチプレクサ４２に入力される。信号ｓ３はデマルチプレクサ４２から光ファイバ３６に出力され、デマルチプレクサ４４に入力される。変調光信号ｓ２は、デマルチプレクサ４４から光ファイバ３４に出力され、トランシーバ４６に入力される。ウェーブＩＤ検出器４８ａ，４８ｂ，４８ｃは、それぞれの入力信号ｓ２，ｓ３，ｓ４におけるウェーブＩＤを検出するために使用され、これによってチャネルの波長ソース情報が検出される。トランシーバ４６は、光データ信号ｓ１’を光ファイバ３２に出力する。信号ｓ１’は、信号ｓ１に含まれる情報と、信号ｓ２のウェーブＩＤ情報を含んでいる。
【００１９】
なお、図面には簡略化して記載していないが、第１および第２サイトのトランシーバ２８，４６は複数存在してもよい。さらに、ウェーブＩＤ検出器は、図１のＮＥ２２，２４，２６，５２，４２，４４，４６のいずれに配置することも可能である。これは、各ＮＥが受信するチャネルのウェーブＩＤから得られる波長ソース情報を判定することによってそれぞれのネットワークに対する接続性を判定することを許容するものである。さらに、ネットワークを管理する装置、いわゆるネットワークマネージャは、ネットワーク中の各ＮＥと通信し、各ＮＥが受信するチャネルの波長ソース情報からネットワークに対する接続性を判定することができる。
【００２０】
図２は、図１に示すウェーブＩＤ挿入装置２８のブロック図を示したものである。ウェーブＩＤ挿入装置２８は、ウェーブＩＤデータソース７４、およびリンク７３を介してウェーブＩＤデータソース７４と接続され周波数ｆ１のサブキャリア周波数の入力を有するウェーブＩＤ変調器７０、さらにリンク７５を介してウェーブＩＤ変調器７０と接続された強度変調器（Ｉｎｔｅｎｓｉｔｙ  Ｍｏｄｕｌａｔｏｒ）７２を有する。光ファイバ７１は強度変調器７２の入力に接続され、その出力は光ファイバ７７に接続されている。ネットワークマネージャ１００リンク１０２を介してウェーブＩＤデータソース７４に通信可能に接続されている。
【００２１】
動作時において、ウェーブＩＤによって転送される補助データは、ウェーブＩＤデータソース７４によって供給される。あるいは、オプショナル的にネットワークマネージャ１００によって供給することも可能である。補助データは、チャネルソース識別情報、例えばＩＰアドレス、ソースの物理的位置情報、動作（Ｗｏｒｋｉｎｇ）チャネル、あるいは保護（ｐｒｏｔｅｃｔｉｏｎ）チャネル識別子、ペイロード・フォーマット、ビットレート、さらに、将来的に要求される様々な情報を含むことができる。補助データは、ウェーブＩＤ変調器７０に供給される。ウェーブＩＤ変調器７０は、周波数ｆ１のサブキャリア周波数信号を、光データ信号ｓ１のビットレートのより８桁（１０8）小さいビットレートにおいて補助データによって変調する。サブキャリア周波数信号は、データによって所与の変調深度：ｍまで振幅変調される。サブキャリア周波数信号は、光データ信号ｓ１のビットレートを２分割したよりも小さい周波数ｆ１を有する。すなわち、サブキャリア周波数信号は、光データ信号に対してインーバンドのサブキャリアとなる。結果として得られる信号ｍｗ（ｔ）は、リンク７５を介して強度変調器７２に入力される。（１＋ｄ（ｔ））Ｐａｖｇによって示される光データ信号ｓ１は、光ファイバ７１を介して強度変調器７２に入力される。ここでｄ（ｔ）は、時間変化データであり、Ｐａｖｇは、平均光強度を示す。光データ信号ｓ１は、強度変調器７２において、信号ｍｗ（ｔ）に従って振幅強度変調がなされる。結果として得られる（１＋ｗｍ（ｔ））（１＋ｄ（ｔ））Ｐａｖｇによって示される変調光データ信号ｓ２は、光ファイバ７７に出力される。このように信号ｓ２は先に説明した型のデータ、ウェーブＩＤによって運ばれるデータを含む。
通常、データは１〜１０ビット／秒のビットレートのレンジにあり、繰り返して送られる。
【００２２】
なお、通信例として補助データによるサブキャリアの振幅変調の例を示したが、直交関係にあるウェーブＩＤを提供する変調フォーマットであれば他のタイプの変調フォーマットが適用可能である。これらのフォーマットとしては、例えばサプキャリアの周波数あるいは位相変調、サブキャリアの周波数あるいは位相シフトキーイング、符号分割多重アクセス（ＣＤＭＡ）、周波数分割多重アクセス（ＦＤＭＡ）、あるいはその他の公知のフォーマットがある。さらに、ＳＯＮＥＴトランシーバ側の光データ信号ｓ１を変調する強度変調器７２は、光減衰器（アテネータ）、あるいはトランシーバのレーザバイアス電流の制御回路によって実現できる。なお、ウェーブＩＤは光データ信号ｓ１の変調による好ましくない影響を最小にして、さらにネットワークにおける光多重インタフェースにおいてウェーブＩＤを高信頼度で検出可能とする最小の変調深度に制御される。
【００２３】
図３は、図１におけるウェーブＩＤ検出装置４８ａを示すブロック図である。
ウェーブＩＤ検出装置は、タップカップラ８２、光ファイバ８５を介してタップカップラ８２に接続されたＰＩＮ光検出器８４、リンク８７を介してＰＩＮ光検出器８４に接続された電気増幅器８６、リンク８９を介して増幅器８６に接続されたウェーブＩＤ検出器８０を有し、ｆ１からｆｎまでのサブキャリア周波数信号を入力する。ネットワークマネージャ１００は、リンク１０４を介してウェーブＩＤ検出器８０に通信可能に接続される。変調光データ信号ｓ２は、光ファイバ８１を介してタップカップラ８２に入力され、信号ｓ’１がタップカップラ８２を介して光ファイバ８３上に出力される。サブキャリア周波数ｆ１〜ｆｎの入力信号はトランシーバ４６から供給される。ここでｎは、ネットワーク中の信号で伝送されるチャネルの最大数であり、この場合、ｎは３３である。サブキャリア周波数ｆ１〜ｆｎは、ｆ１＝２０ｋＨｚ、ｆｎ＝６６０ｋＨｚ、各隣接周波数が２０ｋＨｚの間隔を有するものとすることができる。
【００２４】
動作について説明する。変調光データ信号ｓ２は、タップカップラ８２に入力される。変調光データ信号ｓ２のｓ２’部分がタップされてファイバ８５に出力される。また、残り部分は光ファイバ８３に出力される。典型的には、入力信号の光学的パワーの５％がタップカップラ８２によってタップされる。Ｓ２’部分は、ＰＩＮ光検出器８４に入力されて、ｓ２’部分は、電気信号ｓｅ２に変換される。この信号は、低いパワーレベルでありノイズを含む。しかしながら、各ウエーブＩＤのデータレートは一般に１〜１０ｂｐｓと低いため、各ウェーブＩＤによって伝送されるデータは、電気信号ｓｅ２にノイズが含まれていても高信頼度のもとに受信可能となる。電気信号ｓｅ２は、増幅器８６に入力され、増幅電気信号ｓｅ２’が出力される。この増幅電気信号ｓｅ２’は、ウェーブＩＤ検出器８０に入力され、周波数ｆ１からｆｎのサブキャリア周波数信号によって伝送されたウェーブＩＤが検出される。この検出処理は、従来から知られた各種の方法で実現される。１つの方法は、各サブキャリア周波数信号に対して、各サブキャリア周波数信号の周波数に等しい中心周波数を有するハイＱフィルタを構成する方法である。各フィルタの出力から、各々の振幅変調ウェーブＩＤについて包絡線検出器によって包絡線が検出される。各ウェーブＩＤから検出されたデータは、ウエーブＩＤ検出器４８ａを備えたＮＥによって利用可能であり、、または、リンク１０４を介してネットワークマネージャ１００に転送される。このデータは、各チャネルの波長ソースを識別する情報を含み、ネットワークにおけるＮＥの接続性を判定するために使用可能となる。
【００２５】
上記説明においては、振幅変調サブキャリア周波数信号によってウェーブＩＤを検出する構成を説明したが、ウェーブＩＤの検出手法としては他の方法を適用することも可能である。ただし、使用されるウェーブＩＤ変調フォーマットに適合する手法であることは必要である。このようなフォーマットの例は、ウェーブＩＤ挿入装置２８に関連して先に示されている。特に、フレキシブル型のウェーブＩＤ検出器８０は、例えば高速アナログデジタル（Ａ／Ｄ）変換器とデジタルシグナル・プロセッサ（ＤＳＰ）を有する。このタイプのウェーブＩＤ検出器は、低ビットレートのウェーブＩＤ変調フォーマットの異なるタイプを検出するフレキシビリティを有し、ウェーブＩＤに含まれる情報を並列にデコード処理することが可能である。
【００２６】
ウェーブＩＤは、検出する利益があるいずれのオプティカルＮＥにおいても検出可能である。例えば、ネットワークに対する接続性を判定するために光マルチプレクサの出力部、光デマルチプレクサの入力部において行なうことが可能であり、あるいはチャネルの光出力を均一化するため、光増幅器の列に対するトランスミッタのセットの適応化を目的として光増幅器の入力部で行なうことが可能である。
【００２７】
なお、ウェーブＩＤは、チャネル波長ソースとその間連情報を転送するものに限定されない。どのようなデータであっても、ウェーブＩＤのビットレートが適合するものであれば、ウェーブＩＤを用いて転送することができる。
【００２８】
【発明の効果】
本発明によれば、波長分割多重（ＷＤＭ）光通信システムにおける補助データ（アンシラリ・データ）を提供する改良された装置および方法が実現され、補助データに基づくネットワークエレメントのネットワークにおける接続性確認が可能となる。
【００２９】
本発明の範囲から逸脱することなく様々な態様が実現されることは当業者において明らかであり、明細書および実施例の記載に基づき、様々な変形、適応例が可能である。明細書中の実施例は１つの例を示すにすぎず、本発明の範囲は特許請求の範囲の記載において定義される。
【図面の簡単な説明】
【図１】  本発明に係るＭＯＮ（メトロポリタン光ネットワーク）のブロック図である。
【図２】  図１に示すウェーブＩＤ挿入装置の詳細を示すブロック図である。
【図３】  図１に示すウェーブＩＤ検出器の詳細を示すブロック図である。
【符号の説明】
１０  ＭＯＮ
２０  第１サイト光伝送装置
２２  ２Ｒトランシーバ
２４  ３：１マルチプレクサ
２６  １１：１マルチプレクサ
２８  ウェーブＩＤ挿入装置
４０  第２サイト光伝送装置
４２  １：１１デマルチプレクサ
４４  １：３デマルチプレクサ
４６  トランシーバ
４８ａ  ウェーブＩＤ検出器
５０  第３サイト光伝送装置
５２  光加算ドロップ・マルチプレクサ（ＯＡＤＭ）
７０  ウェーブＩＤ変調器
７２  強度変調器
７４  ウェーブＩＤデータソース
８０  ウェーブＩＤ検出器
８２  タップカップラー
８４  ＰＩＮ光検出器
８６  電気増幅器
１００  ネットワークマネージャ
【図１】
0004545257.tif 000002
【図２】
0004545257.tif 000003
【図３】
0004545257.tif 000004